(57)【要約】【課題】商品の包装時に手作業で容易に組み立てられ、店頭では簡単に開封して商品を展示でき、製造に際して材料の使用面積も抑制できる包装展示兼用箱を提供する。【解決手段】前受板１、底面板２、後面板３、天面板４及び前面板５を順次連設し、底面板２乃至前面板５の両側からそれぞれ底側板６、後側板７、天側板８及び前側板９を延出し、底側板６と後側板７及び天側板８と前側板９を、それぞれその一方の角部を二等分する斜折線１３，１４に沿って折り返し、折返部を他方に重ね合わせた状態に固定して折畳状態としておく。包装に際しては、斜折線１３，１４での折り曲げを伸ばして組み立て、展示に際しては、天面板４の後部を手前に引いて、後面板３と天面板４の境界の両端へ向かう切目線１２ａを切断し、前面板５を前受板１から離反させることにより、トレイ部分２１と蓋部分２２とに分離できるようにする。【選択図】図４
2015127241.tif 000002
【特許請求の範囲】
【請求項１】
商品を包み込む前受板(1)、底面板(2)、後面板(3)、天面板(4)及び前面板(5)を順次連設し、底面板(2)乃至前面板(5)の両側からそれぞれ延出した底側板(6)、後側板(7)、天側板(8)及び前側板(9)を内側へ折り曲げ、底側板(6)と後側板(7)及び天側板(8)と前側板(9)のそれぞれの一方の角部を斜折線(13,14)で二等分し、その一方の角部を斜折線(13,14)の谷折りに伴い折り返し、折返部を他方に重ね合わせた状態に固定して折畳状態とし、
包装に際しては、斜折線(13,14)での折り曲げを伸ばして、底面板(2)から後面板(3)が起立し、後面板(3)から天面板(4)が前方へ向かい、天面板(4)から前面板(5)が下方へ向かうようにして、底面板(2)から起立する前受板(1)に前面板(5)を重ね、
展示に際しては、天面板(4)の後部を手前に引いて、後面板(3)と天面板(4)の境界の両端へ向かう切目線(12a)を切断し、前面板(5)を前受板(1)から離反させることにより、トレイ部分(21)と蓋部分(22)とに分離するようにした包装展示兼用箱。
【請求項２】
商品を包み込む前受板(1)、底面板(2)、後面板(3)、天面板(4)及び前面板(5)を順次連設し、底面板(2)乃至前面板(5)の両側からそれぞれ底側板(6)、後側板(7)、天側板(8)及び前側板(9)を延出し、底面板(2)と後面板(3)の境界及び天面板(4)と前面板(5)の境界に沿って折り重ね、底側板(6)と後側板(7)及び天側板(8)と前側板(9)のそれぞれその一方の角部を斜折線(13,14)で二等分し、その一方の角部を斜折線(13,14)の山折りに伴い折り返し、折返部を他方に重ね合わせた状態に固定して折畳状態とし、
包装に際しては、斜折線(13,14)での折り曲げを伸ばして、底面板(2)から後面板(3)が起立し、後面板(3)から天面板(4)が前方へ向かい、天面板(4)から前面板(5)が下方へ向かうようにして、底面板(2)から起立する前受板(1)に前面板(5)を重ね、
展示に際しては、天面板(4)の後部を手前に引いて、後面板(3)と天面板(4)の境界の両端へ向かう切目線(12a)を切断し、前面板(5)を前受板(1)から離反させることにより、トレイ部分(21)と蓋部分(22)とに分離するようにした包装展示兼用箱。
【請求項３】
請求項１又は２に記載の包装展示兼用箱において、前受板(1)から延出した連結片(10)と底側板(6)とに切込(15)を入れ、包装に際して、この切込(15)を噛み合わせることにより、前受板(1)と底側板(6)とを連結するようにしたことを特徴とする包装展示兼用箱。
【請求項４】
請求項１又は２に記載の包装展示兼用箱において、折畳状態とする際、前受板(1)を、その角部を二等分する斜折線(18)に沿って折り曲げ、前受板(1)から延出した連結片(10)を底側板(6)に接着し、前受板(1)と底側板(6)とを連結しておき、包装に際しては、斜折線(18)での折り曲げを伸ばして組み立てるようにしたことを特徴とする包装展示兼用箱。
【請求項５】
請求項１又は２に記載の包装展示兼用箱において、前受板(1)の上部となる部分に内前板(1c)を連設し、底側板(6)の前端に折込片(10b)を連設し、包装に際しては、巻き込むように折り曲げた前受板(1)と内前板(1c)の間に折込片(10b)を挟み込み、前受板(1)と底側板(6)の起立状態を維持するようにしたことを特徴とする包装展示兼用箱。
【発明の詳細な説明】
【技術分野】
【０００１】
この発明は、商品の包装及び展示に兼用される包装展示兼用箱に関するものである。
【背景技術】
【０００２】
従来、図２５に示すように、商品を収容するトレイ体５１と、これに外側から被せる蓋体５２とから成る包装展示兼用箱が知られている（下記特許文献１参照）。
【０００３】
この包装展示兼用箱のトレイ体５１及び蓋体５２は、別体のブランクからそれぞれ組み立てられ、トレイ体５１は、底壁５３、前面壁５４、後面壁５５及び一対の側面壁５６を有し、蓋体５２は、天面壁５７、前面壁５８、後面壁５９及び一対の側面壁６０を有するものとされている。前面壁５４，５８及び後面壁５５には、それぞれミシン目状の切目線６１ａ，６２ａ，６３ａを入れて切取部６１，６２，６３が設けられている。
【０００４】
そして、この包装展示兼用箱を使用して、商品を店舗への配送のため包装する際には、前面壁５４，５８を切取部６１，６２の領域内の接着部６４で接着し、後面壁５５，５９を切取部６３の領域内の接着部６５で接着することにより、トレイ体５１と蓋体５２とを固定し、封緘状態とする。
【０００５】
一方、店頭で商品を展示する際には、切取部６１，６２を、切目線６１ａ，６２ａの切断に伴い、貼り合わされた状態で前面壁５４，５８から切り取り、蓋体５２を後面壁５９の下端縁を中心にして回転させることにより、切取部６３を、切目線６３ａの切断に伴い後面壁５９に貼り付いた状態で、後面壁５５から切り取る。
【０００６】
このように開封すると、トレイ体５１と蓋体５２とが分離されるので、トレイ体５１から蓋体５２を除去して、トレイ体５１に収容された商品を、買物客から見えやすいように露出させた状態で展示することができる。
【０００７】
なお、この包装展示兼用箱は、トレイ体５１と蓋体５２とを予め接着して折り畳んだ状態で、商品を包装する使用業者へ納品され、使用業者の出荷拠点で組み立てられる。
【０００８】
また、下記特許文献２には、トレイ体と蓋体とから成り、商品の包装時にトレイ体と蓋体とを接着固定し、商品の展示時にトレイ体と蓋体とを分離する２ピースの包装展示兼用箱において、ブランク状態で使用業者へ納品し、使用業者の出荷拠点に設置された包装機械でトレイ体と蓋体とを組み立てて接着固定するものが記載されている。
【先行技術文献】
【特許文献】
【０００９】
【特許文献１】特開２０１２−３０８９２号公報
【特許文献２】特開２０１３−１８５０６号公報
【発明の概要】
【発明が解決しようとする課題】
【００１０】
しかしながら、上記特許文献１に記載の包装展示兼用箱では、店頭で開封して展示状態とする際、前面壁５４，５８の切取部６１，６２を切り取り、次いで、後面壁５５の切取部６３を切り取る２段階の工程が必要となり、作業に手間がかかるという問題がある。
【００１１】
また、トレイ体５１と蓋体５２の重なり合う部分が大きいため、ブランクを打ち抜いて製造する際、材料の使用面積が大きくなるという問題がある。
【００１２】
また、上記特許文献２に記載の包装展示兼用箱では、使用業者側が包装機械を設置する際、多大なコストがかかるため、小ロットの商品の包装には適さないという問題がある。
【００１３】
そこで、この発明は、商品の包装時に手作業で容易に組み立てられ、店頭では簡単に開封して商品を展示でき、製造に際して材料の使用面積も抑制できる包装展示兼用箱を提供することを課題とする。
【課題を解決するための手段】
【００１４】
上記課題を解決するため、この発明は、商品を包み込む前受板、底面板、後面板、天面板及び前面板を順次連設し、底面板乃至前面板の両側からそれぞれ延出した底側板、後側板、天側板及び前側板を内側へ折り曲げ、底側板と後側板及び天側板と前側板のそれぞれの一方の角部を斜折線で二等分し、その一方の角部を斜折線の谷折りに伴い折り返し、折返部を他方に重ね合わせた状態に固定して折畳状態とし、包装に際しては、斜折線での折り曲げを伸ばして、底面板から後面板が起立し、後面板から天面板が前方へ向かい、天面板から前面板が下方へ向かうようにして、底面板から起立する前受板に前面板を重ね、展示に際しては、天面板の後部を手前に引いて、後面板と天面板の境界の両端へ向かう切目線を切断し、前面板を前受板から離反させることにより、トレイ部分と蓋部分とに分離するようにしたのである。
【００１５】
また、商品を包み込む前受板、底面板、後面板、天面板及び前面板を順次連設し、底面板乃至前面板の両側からそれぞれ底側板、後側板、天側板及び前側板を延出し、底面板と後面板の境界及び天面板と前面板の境界に沿って折り重ね、底側板と後側板及び天側板と前側板のそれぞれその一方の角部を斜折線で二等分し、その一方の角部を斜折線の山折りに伴い折り返し、折返部を他方に重ね合わせた状態に固定して折畳状態とし、包装に際しては、斜折線での折り曲げを伸ばして、底面板から後面板が起立し、後面板から天面板が前方へ向かい、天面板から前面板が下方へ向かうようにして、底面板から起立する前受板に前面板を重ね、展示に際しては、天面板の後部を手前に引いて、後面板と天面板の境界の両端へ向かう切目線を切断し、前面板を前受板から離反させることにより、トレイ部分と蓋部分とに分離するようにしたのである。
【００１６】
また、前受板から延出した連結片と底側板とに切込を入れ、包装に際して、この切込を噛み合わせることにより、前受板と底側板とを連結するようにしたのである。
【００１７】
また、前受板と底側板の連結部分において、これに代えて、折畳状態とする際、前受板を、その角部を二等分する斜折線に沿って折り曲げ、前受板から延出した連結片を底側板に接着し、前受板と底側板とを連結しておき、包装に際しては、斜折線での折り曲げを伸ばして組み立てるようにしたのである。
【００１８】
さらに、前受板と底側板の連結部分において、これに代えて、前受板の上部となる部分に内前板を連設し、底側板の前端に折込片を連設し、包装に際しては、巻き込むように折り曲げた前受板と内前板の間に折込片を挟み込み、前受板と底側板の起立状態を維持するようにしたのである。
【発明の効果】
【００１９】
この包装展示兼用箱は、底側板と後側板及び天側板と前側板の一方の角部を斜折線で二等分し、その一方の角部を斜折線に沿って折り返し、折返部を他方に重ね合わせた状態に固定した折畳状態で使用業者に納品することにより、使用業者が商品を包装する際、斜折線での折り曲げを伸ばして、手作業で容易に組み立てることができる。
【００２０】
また、商品の展示に際しては、天面板の後部を手間に引き、後面板と天面板の境界の両端へ向かう切目線を切断することにより、簡単に開封することができるので、店頭での展示作業に伴う手間が軽減される。
【００２１】
また、包装状態においてトレイ部分と蓋部分との重なり合う部分を、前面及び側面の一部だけとして、材料の使用面積を抑制することができる。
【００２２】
そして、展示状態では、切断縁が目立たないので、美粧性に優れた展示ができ、トレイ部分の前受板により商品の前方へのこぼれ出しを防止すると共に、商品を後面板に凭れさせて展示することができる。
【図面の簡単な説明】
【００２３】
【図１】この発明の第１実施形態に係る包装展示兼用箱のブランクを示す図
【図２】同上の折畳状態を示す斜視図
【図３】同上の組立過程を示す斜視図
【図４】同上の包装状態を示す斜視図
【図５】同上の展示状態への変換過程を示す斜視図
【図６】同上のトレイ部分の展示状態を示す斜視図
【図７】この発明の第２実施形態に係る包装展示兼用箱のブランクを示す図
【図８】同上の折畳状態を示す斜視図
【図９】同上の組立過程を示す斜視図
【図１０】同上の包装状態を示す斜視図
【図１１】同上の展示状態への変換過程を示す斜視図
【図１２】同上のトレイ部分の展示状態を示す斜視図
【図１３】この発明の第３実施形態に係る包装展示兼用箱のブランクを示す図
【図１４】同上の折畳状態を示す斜視図
【図１５】同上の組立過程を示す斜視図
【図１６】同上の包装状態を示す斜視図
【図１７】同上の展示状態への変換過程を示す斜視図
【図１８】同上のトレイ部分の展示状態を示す斜視図
【図１９】この発明の第４実施形態に係る包装展示兼用箱のブランクを示す図
【図２０】同上の折畳状態を示す斜視図
【図２１】同上の組立過程を示す斜視図
【図２２】同上の包装状態を示す斜視図
【図２３】同上の展示状態への変換過程を示す斜視図
【図２４】同上のトレイ部分の展示状態を示す斜視図
【図２５】従来の包装展示兼用箱の包装状態を示す斜視図
【発明を実施するための形態】
【００２４】
まず、この発明の第１実施形態を添付図面に基づいて説明する。
【００２５】
この包装展示兼用箱は、奥行が幅より若干小さくなっており、図１に示す段ボールのブランクから組み立てられる。このブランクでは、前受板１、底面板２、後面板３、天面板４及び前面板５が段ボールの段目方向に順次連設され、底面板２、後面板３、天面板４及び前面板５の両側に、それぞれ底側板６、後側板７、天側板８及び前側板９が連設され、前受板１の両側端に連結片１０が連設されている。
【００２６】
後側板７と天側板８とは、その間に幅のある切溝がなく、繋部を有する切目線１１を介して隣接し、折畳状態とする際、一体的に折り曲げられ、包装状態に組み立てる際、一体的に起こせるようになっている。
【００２７】
後面板３と天面板４の境界には、その中央部に後面板３内へ湾入するように、切目が断続するミシン目状の切目線を入れて押込部１２が形成され、押込部１２から両端へ向かって鉤状の切目が断続するジッパ型の切目線１２ａが入れられている。
【００２８】
後側板７の底側板６寄りの部分には、基端側の角部を二等分する４５°の斜折線１３が入れられ、天側板８の前側板９寄りの部分には、基端側の角部を二等分する４５°の斜折線１４が入れられている。斜折線１３，１４は、段ボールの表面側が窪む谷折りを可能とするため、段ボールの表面側から押圧した押罫線とされている。
【００２９】
底側板６の後側板７寄りの部分と前側板９の天側板８寄りの部分には、基端側から先端側へかけて少し内側へ傾いたミシン目状の逃折線６ａ，９ａが入れられ、これにより、折畳時に底側板６と前側板９の一側部が折れ曲がって、後面板３及び天面板４との干渉が回避されるようになっている。
【００３０】
底側板６と連結片１０の近接する部分には、互いに噛み合わせる切込１５が入れられている。切込１５の入口部の側縁は、組立時に噛み合わせを容易にするため、開口側の幅が広がるように丸められている。また、連結片１０には、切込１５の底部から反対側の端縁へかけて、押罫の折目線１０ａが入れられている。
【００３１】
前面板５の外端縁中央部には、封緘用の差込片５ａが突設され、前受板１の底面板２との境界に臨む中央部には、コ字状の切目線を入れて差込穴１ａが設けられている。前側板９の先端縁中間部には、包装状態での密閉性を高める凸部９ｂが設けられている。
【００３２】
そして、このブランクにおいて、前受板１、底面板２、後面板３、底側板６、後側板７及び連結片１０はトレイ部分２１を構成し、天面板４、前面板５、天側板８及び前側板９は蓋部分２２を構成する。
【００３３】
トレイ部分２１の組立時にホットメルト接着剤で接着する位置は、後側板７の斜折線１３に沿って折り返される部分の領域内と底側板６の後側板７寄りの部分の接着部１６とされている。また、蓋部分２２の組立時にホットメルト接着剤で接着する位置は、天側板８の斜折線１４に沿って折り返される部分の領域内と前側板９の天側板８寄りの部分の接着部１７とされている。
【００３４】
上記ブランクから成る包装展示兼用箱は、使用業者への供給に先立って、図２に示すように、前受板１、底面板２、後面板３、天面板４及び前面板５から両側の連結片１０、底側板６、後側板７、天側板８及び前側板９を内側へ折り曲げ、後側板７の一側部を斜折線１３の谷折りに伴い折り返すと共に、天側板８の一側部を斜折線１４に沿って折り返し、底側板６と後側板７及び天側板８と前側板９を、底面板２と後面板３及び天面板４と前面板５の境界に沿った折り曲げに伴い、接着部１６，１７で接着し、折畳状態とする。
【００３５】
このとき、底側板６及び前側板９が逃折線６ａ，９ａで折れ曲がって、その端縁と後面板３及び天面板４との干渉が回避されるので、底側板６及び前側板９が突っ張って折り畳みが困難となることがない。
【００３６】
このような折畳状態とすると、嵩張らないので、使用業者の出荷拠点への輸送コストを抑制することができる。
【００３７】
そして、使用業者において商品の包装のため組み立てる際には、図３に示すように、斜折線１３，１４での折り曲げを伸ばして、後面板３及び天面板４の両端からそれぞれ底面板２及び前面板５が起立すると共に、後面板３及び天面板４の両側からそれぞれ後側板７及び天側板８が起立する状態とし、この状態でトレイ部分２１へ商品を収納する。
【００３８】
次に、前受板１を後面板３に対向する方向へ折り曲げ、前受板１から連結片１０を折り曲げて、連結片１０と底側板６の切込１５同士を噛み合わせ、前受板１と底側板６とを連結する。このとき、連結片１０を折目線１０ａに沿って少し折り曲げると、切込１５同士を容易に噛み合わせることができる。
【００３９】
その後、図４に示すように、底面板２を下底として後面板３が直立する方向へ向け、後側板７と天側板８の境界の切目線１１の繋部を切断して、後面板３から天面板４を前方へ折り曲げ、後側板７の上部に天側板８の後部を重ね、天面板４から前面板５が下方へ向かうようにして、前受板１に前面板５を重ねると共に、底側板６及び連結片１０に前側板９の下部を重ね、差込片５ａを差込穴１ａに差し込んで封緘する。
【００４０】
このとき、前側板９の凸部９ｂを後側板７の内面側へ押し込むと、後側板７と前側板９の間の隙間が塞がれるので、箱内への塵埃の侵入が防止される。
【００４１】
また、逃折線６ａ,９ａに沿った折り曲げが反発で復元して、底側板６の後端が後面板３に近接すると共に、前側板９の上端が天面板４に近接するので、直方体となった組立状態での保形性が向上する。
【００４２】
一方、店頭での商品の展示に際しては、後面上部の押込部１２を押し込んで指を入れ、図５に示すように、天面板４の後部を手前に引くことにより、切目線１２ａを切断すると共に、蓋部分２２を揺動させて開封し、差込片５ａを差込穴１ａから引き抜いて、前面板５を前受板１から離反させ、トレイ部分２１と蓋部分２２とに分離する。
【００４３】
そして、トレイ部分２１から蓋部分２２を除去し、図６に示すように、トレイ部分２１に収容された商品Ｇが露出した展示状態とする。この展示状態では、切断縁が目立たないので、美粧性に優れた展示ができ、前受板１により商品Ｇの前方へのこぼれ出しを防止すると共に、商品Ｇを後面板３に凭れさせて安定した状態で展示することができる。
【００４４】
このように、上記包装展示兼用箱は、斜折線１３，１４に沿って折り返すことにより、嵩張らない折畳状態として使用業者に納品することができ、使用業者が商品を包装する際には、斜折線１３，１４での折り曲げを伸ばして、手作業で容易に組み立てることができるので、使用業者が包装機械を保有する必要がなくなる。
【００４５】
また、店頭での商品の展示に際しては、天面板４の後部を手前に引き、切目線１２ａを切断して、蓋部分２２を揺動させることにより、簡単に開封することができるので、店頭での展示作業に伴う手間が軽減される。
【００４６】
また、包装状態においてトレイ部分２１と蓋部分２２との重なり合う部分を、前面及び側面の一部だけとしたので、材料の使用面積を抑制することができる。
【００４７】
次に、この発明の第２実施形態を図７乃至図１２に基づいて説明する。ここでは、上記実施形態と同様の部分の説明は省略し、特徴点を中心に述べる。
【００４８】
この包装展示兼用箱のブランクでは、図７に示すように、前受板１に、底面板２寄りの両角部をそれぞれ二等分する４５°の斜折線１８が入れられ、斜折線１８の中間部分に弧状の切目線を入れて折止片１ｂが設けられている。斜折線１８は、段ボールの表面側から押圧した押罫線とされている。
【００４９】
連結片１０は、切込のない通常の舌片とされ、トレイ部分２１の組立時にホットメルト接着剤で接着する位置は、接着部１６に加えて、連結片１０の領域内と底側板６の連結片１０寄りの部分の接着部１９とされている。
【００５０】
このようなブランクから成る包装展示兼用箱は、使用業者への供給に先立って折畳状態とする際、図８に示すように、後側板７及び天側板８を斜折線１３，１４の谷折りに伴い折り返すと共に、前受板１を斜折線１８に沿って折り曲げ、連結片１０を底側板６に接着部１９で接着して、前受板１と底側板６とを連結しておく。
【００５１】
そして、使用業者において商品の包装のため組み立てる際には、図９に示すように、斜折線１３，１４での折り曲げを伸ばすと共に、斜折線１８での折り曲げを伸ばし、この状態でトレイ部分２１へ商品を収納する。
【００５２】
その後、図１０に示すように、底面板２を下底として直立する直方体に組み立て、底面板２から起立して平板状となった前受板１に前面板５を重ね、差込片５ａを差込穴１ａに差し込んで封緘する。
【００５３】
一方、店頭での商品の展示に際しては、図１１に示すように、押込部１２を押し込んで天面板４の後部を手前に引くことにより、切目線１２ａを切断すると共に、蓋部分２２を揺動させて開封し、差込片５ａを差込穴１ａから引き抜いて、前面板５を前受板１から離反させ、トレイ部分２１と蓋部分２２とに分離する。
【００５４】
そして、トレイ部分２１から蓋部分２２を除去し、図１２に示すように、トレイ部分２１に収容された商品Ｇが露出した展示状態とする。この展示状態においては、折止片１ｂがその切断縁に当接することが抵抗となって、前受板１が斜折線１８に沿って外側へ膨らむように折れ曲がる現象が防止される。
【００５５】
上記のような第２実施形態では、第１実施形態のものに比較して、製造時に折畳状態とする際の接着箇所は増加するものの、店頭での展示作業に際し、包装状態から展示状態へと変換する際、前受板１と底側板６とを噛み合わせる作業が不要となり、作業の手間が軽減される。
【００５６】
次に、この発明の第３実施形態を図１３乃至図１８に基づいて説明する。ここでは、上記実施形態と同様の部分の説明は省略し、特徴点を中心に述べる。
【００５７】
この包装展示兼用箱は、奥行が幅より大きくなっており、図１３に示す段ボールのブランクから組み立てられる。このブランクでは、後側板７及び前側板９の根元からの長さを奥行の１／２より若干長くするため、その先端側に延長部が形成され、天側板８の先端側にも、これに合わせて延長部が形成されている。
【００５８】
そして、図中斜線を付したように、後側板７、天側板８及び前側板９の延長部には、段ボールを厚さ方向に押し潰す段潰し加工が施されている。また、後側板７及び天側板８の斜折線１３，１４よりも根元側と、底側板６及び前側板９の逃折線６ａ，９ａより先端側にも、段潰し加工が施されている。さらに、底面板２と後面板３の境界部分及び天面板４と前面板５の境界部分にも、罫線の両側に段潰し加工が施されている。
【００５９】
また、前受板１の先端中間部には内前板１ｃが連設され、底側板６の前受板１寄りの端部には折込片１０ｂが連設されている。内前板１ｃの先端には、２個の係合突起１ｄが突設され、底面板２には、前受板１との境界に沿って２個の係合穴２ａが穿設されている。
【００６０】
このようなブランクから成る包装展示兼用箱は、使用業者への供給に先立って折畳状態とする際、図１４に示すように、両側の後側板７、天側板８及び前側板９の延長部同士が重なり、底側板６と後側板７の間及び天側板８と前側板９の間に折返部が挟まれた状態となるが、この状態で重なり合う部分は、段潰し加工により薄くなっており、底面板２と後面板３の境界部分及び天面板４と前面板５の境界部分も段潰し加工により薄くなっているため、折り曲げの反発が抑制され、偏平な折畳状態とすることができる。
【００６１】
そして、使用業者において商品の包装のため組み立てる際には、図１５に示すように、斜折線１３，１４での折り曲げを伸ばした状態で、トレイ部分２１に商品を収納した後、折込片１０ｂを内側へ折り曲げ、前受板１から内前板１ｃを巻き込むように折り曲げ、前受板１と内前板１ｃの間に折込片１０ｂを挟み込み、係合突起１ｄを係合穴２ａに係合させて、内前板１ｃの跳ね上がりを防止し、前受板１と底側板６とを連結する。
【００６２】
その後、図１６に示すように、底面板２を下底として直立する直方体に組み立てると、奥行が幅より大きい箱体となるので、前後方向に多くの商品を並べて収納できる。この組立状態では、前面板５の下部から底面板２の前部へかけて、テープを貼り付けることにより封緘するとよい。
【００６３】
一方、店頭での商品の展示に際しては、図１７に示すように、切目線１２ａを切断し、蓋部分２２を揺動させて開封し、トレイ部分２１から蓋部分２２を除去して、図１８に示すように、トレイ部分２１から商品Ｇが露出した展示状態とすると、前受板１と底側板６の起立状態が確実に維持され、安定した状態で商品Ｇを展示することができる。
【００６４】
次に、この発明の第４実施形態を図１９乃至図２４に基づいて説明する。ここでは、上記実施形態と同様の部分の説明は省略し、特徴点を中心に述べる。
【００６５】
この包装展示兼用箱は、奥行が幅より大きくなっており、図１９に示す段ボールのブランクから組み立てられる。このブランクでは、後側板７及び天側板８の斜折線１３，１４は、段ボールの表面側が突き出す山折り方向への折れ曲がりを誘導するため、段ボールの裏面側から押圧した押罫線とされ、折り曲げに伴い抱き込む段ボールの厚さを考慮して、平行に２本ずつ入れられている。
【００６６】
また、底側板６の後側板７寄りの端縁と、前側板９の天側板８寄りの端縁とは、斜折線１３，１４に対応して４５°の角度で斜めに切断され、天側板８の先端中央部には、凸部８ａが設けられている。
【００６７】
このようなブランクから成る包装展示兼用箱は、使用業者への供給に先立って折畳状態とする際、図２０に示すように、底面板２と後面板３の境界及び天面板４と前面板５の境界に沿って折り重ね、後側板７及び天側板８をそれぞれ斜折線１３，１４の山折りに伴い折り返し、底側板６及び前側板９の斜めに切断された端縁に臨む部分を抱き込み、接着部１６，１７で接着する。
【００６８】
このとき、底側板６、後側板７、天側板８及び前側板９を内側へ折り曲げることなく、外側へ開いた状態としているので、奥行が幅より大きい寸法比率の箱であっても、寸法比率に制約されることなく、偏平に折り畳むことができる。
【００６９】
そして、使用業者において商品の包装のため組み立てる際には、図２１に示すように、斜折線１３，１４での折り曲げを伸ばした状態で、トレイ部分２１へ商品を収納する。
【００７０】
その後、図２２に示すように、底面板２を下底として直立する直方体に組み立てると、奥行が幅より大きい箱体となるので、前後方向に多くの商品を並べて収納できる。このとき、凸部８ａを底側板６の内側へ押し込んでおくと、側面が外側へ膨らむ現象を防止することができる。
【００７１】
一方、店頭での商品の展示に際しては、図２３に示すように、切目線１２ａを切断し、蓋部分２２を揺動させて開封し、トレイ部分２１から蓋部分２２を除去すると、図２４に示すように、トレイ部分２１から商品Ｇが露出した展示状態となり、商品Ｇを前受板１及び後面板３で前後から支持して展示することができる。
【００７２】
なお、上記実施形態では、後側板７及び天側板８の斜折線１３，１４に沿った折返部を底側板６及び前側板９に直接貼り付けているが、後側板７及び天側板８の折返部に延長部を設け、その延長部を底面板２及び前面板５の表面に回り込むように折り曲げて貼り付けることにより、折返部を固定するようにしてもよい。
【００７３】
また、後側板７及び天側板８に斜折線１３，１４を入れて折返部を設けているが、底側板６及び前側板９に斜折線１３，１４を入れて折返部を設け、この折返部を後側板７及び天側板８に貼り付けるようにしてもよい。
【００７４】
そのほか、上記実施形態では、製造時に折畳状態とする際、ホットメルト接着剤を使用して各部を接着するものを例示したが、ホットメルト接着剤に換えて、他の接着剤や粘着テープ等を使用してもよい。
【００７５】
また、材料として段ボールを使用したものを例示したが、段ボールに換えて、板紙等の他のシート材を材料として使用してもよい。
【符号の説明】
【００７６】
１  前受板
１ａ  差込穴
１ｂ  折止片
１ｃ  内前板
１ｄ  係合突起
２  底面板
２ａ  係合穴
３  後面板
４  天面板
５  前面板
５ａ  差込片
６  底側板
６ａ  逃折線
７  後側板
８  天側板
８ａ  凸部
９  前側板
９ａ  逃折線
９ｂ  凸部
１０  連結片
１０ａ  折目線
１０ｂ  折込片
１１  切目線
１２  押込部
１２ａ  切目線
１３，１４  斜折線
１５  切込
１６，１７  接着部
１８  斜折線
１９  接着部
２１  トレイ部分
２２  蓋部分
Ｇ  商品
【図１】
2015127241.tif 000003
【図２】
2015127241.tif 000004
【図３】
2015127241.tif 000005
【図４】
2015127241.tif 000006
【図５】
2015127241.tif 000007
【図６】
2015127241.tif 000008
【図７】
2015127241.tif 000009
【図８】
2015127241.tif 000010
【図９】
2015127241.tif 000011
【図１０】
2015127241.tif 000012
【図１１】
2015127241.tif 000013
【図１２】
2015127241.tif 000014
【図１３】
2015127241.tif 000015
【図１４】
2015127241.tif 000016
【図１５】
2015127241.tif 000017
【図１６】
2015127241.tif 000018
【図１７】
2015127241.tif 000019
【図１８】
2015127241.tif 000020
【図１９】
2015127241.tif 000021
【図２０】
2015127241.tif 000022
【図２１】
2015127241.tif 000023
【図２２】
2015127241.tif 000024
【図２３】
2015127241.tif 000025
【図２４】
2015127241.tif 000026
【図２５】
2015127241.tif 000027